(57)【要約】【課題】チューブを装着する際に簡単に、チューブ径に左右されることなく、チューブを押さえることができる構造を有するハウジング付きローラーポンプの提供。【解決手段】ハウジングと、該ハウジング内に配置されるチューブをローラー回転子の回転によりしごいて該チューブ内の液体を送液可能なローラーポンプと、前記ハウジングのカバーと、ハウジングの前面壁部に該壁部の切り欠き部として形成されたチューブ導入口あるいはチューブ導入口と導出口チューブ内に設けられたチューブ押さえ機構と、該チューブ押さえ機構と協働して前記チューブ導入口あるいはチューブ導入口と導出口においてハウジング内に配置されるチューブを固定することが可能なハウジングのカバーに形成されたチューブ押圧部材とを有することを特徴とするハウジング付きローラーポンプ。【選択図】図１
2006212050.tif 000002
【特許請求の範囲】
【請求項１】
ハウジングと、該ハウジング内に配置されるチューブをローラー回転子の回転によりしごいて該チューブ内の液体を送液可能なローラーポンプと、前記ハウジングのカバーと、ハウジングの前面壁部に該壁部の切り欠き部として形成されたチューブ導入口あるいはチューブ導入口と導出口チューブ内に設けられたチューブ押さえ機構と、該チューブ押さえ機構と協働して前記チューブ導入口あるいはチューブ導入口と導出口においてハウジング内に配置されるチューブを固定することが可能なハウジングのカバーに形成されたチューブ押圧部材（以下、上部押圧部材という）とを有することを特徴とするハウジング付きローラーポンプ。
【請求項２】
チューブ押さえ機構は、チューブ導入口、あるいはチューブ導入口とチューブ導出口に設けたチューブ押圧部材（以下、下部押圧部材という）と該下部押圧部材を支持する弾性部材とで構成されるものであることを特徴とする請求項１に記載のハウジング付きローラーポンプ。
【請求項３】
弾性部材がコイルスプリングであることを特徴とする請求項２に記載のハウジング付きローラーポンプ。
【請求項４】
弾性部材の一端が、チューブ導入口あるいはチューブ導入口とチューブ導出口の底面部に接触し、他端が下部押圧部材の裏面に接触して該下部押圧部材を支持することを特徴とする請求項２または３に記載のハウジング付きローラーポンプ。
【請求項５】
ハウジングと、該ハウジング内に配置されるチューブをローラー回転子の回転によりしごいて該チューブ内の液体を送液可能なローラーポンプと、ハウジングの前面壁部に該壁部の切り欠き部として形成されたハウジング内に配設されるチューブのチューブ導入口およびチューブ導出口と、ハウジングのカバーを閉じることによって前記チューブ導入口あるいは前記チューブ導入口とチューブ導出口内にその側方から移動して前記チューブをハウジングに固定可能なチューブ押圧部材と該チューブ押圧部材の前記移動を行う移動手段とで少なくとも構成されることを特徴とするハウジング付きローラーポンプ。
【請求項６】
チューブ押圧部材の移動手段がチューブ押圧部材間に移動して該チューブ押圧部材にチューブ押圧力を付加することが可能なものであることを特徴とする請求項５に記載のハウジング付きローラーポンプ。
【請求項７】
チューブ導入口側と導出口側にそれぞれ少なくとも２個のチューブ押圧部材を有することを特徴とする請求項６に記載のハウジング付きローラーポンプ。
【請求項８】
チューブ押圧部材の移動手段が移動するチューブ押圧部材間には、前記チューブ押圧部材の移動手段が不存在になると該チューブ押圧部材同士を中心方向に移動させる弾性部材を有することを特徴とする請求項５〜７のいずれかの項に記載のハウジング付きローラーポンプ。
【請求項９】
チューブ押圧部材の移動手段により側方移動チューブ押圧部材に付加されたチューブ押圧力が、側方移動チューブ押圧部材間を連結する弾性部材によって次の側方移動チューブ押圧部材に伝達されることを特徴とする請求項５〜８のいずれかに記載のハウジング付きローラーポンプ。
【請求項１０】
チューブを固定した状態において、該固定状態を維持可能とするハウジングのカバーとハウジング本体の連結手段を有することを特徴とする請求項１〜９のいずれかに記載のハウジング付きローラーポンプ。
【請求項１１】
医療用であることを特徴とする請求項１〜１０のいずれかに記載のハウジング付きローラーポンプ。
【請求項１２】
請求項１〜１０のいずれかに記載のハウジング付きローラーポンプを備えていることを特徴とする医療用システム。
【発明の詳細な説明】
【技術分野】
【０００１】
本発明はハウジング付きローラーポンプ、特に医療用ハウジング付きローラーポンプ、および該ローラーポンプを備えた医療用システムに関するものである。
前記医療用システムとしては、例えば血液透析装置のような血液浄化システム、その他、心臓手術等のような体外血液循環を要する場合が挙げられる。
【背景技術】
【０００２】
従来、ローラー型ポンプへチューブを装着するには、ローラー型ポンプはその性質上、回転方向にチューブが巻き込まれていくため、バネにて閉じられたチューブ押さえを開けて、そのチューブ押さえにてチューブを押さえていた。
【発明の開示】
【発明が解決しようとする課題】
【０００３】
ローラー型ポンプにチューブを装着する際に、上述のようにチューブ押さえを手で開かなければならないが、その作業がチューブをローラー型ポンプに装着する際の一手間となる。本発明はチューブを装着する際に簡単にチューブを押さえることができ、さらに異なる径のチューブを装着する場合であってもチューブ径の変更に左右されず装着可能な構造を有するハウジング付きローラーポンプの提供を目的とする。
【課題を解決するための手段】
【０００４】
本発明は、ハウジングと、該ハウジング内に配置されるチューブをローラー回転子の回転によりしごいて該チューブ内の液体を送液可能なローラーポンプと、前記ハウジングのカバーと、該カバーが閉じることによって前記ハウジング内に配置されるチューブをハウジングに固定可能なチューブ固定機構とを有することを特徴とするハウジング付きローラーポンプを提供することにより、前記技術課題を解決することができた。
【０００５】
前記ローラーポンプの一つの態様としては、例えばハウジングと、該ハウジング内に配置されるチューブをローラー回転子の回転によりしごいて該チューブ内の液体を送液可能なローラーポンプと、前記ハウジングのカバーと、ハウジングの前面壁部に該壁部の切り欠き部として形成されたチューブ導入口あるいはチューブ導入口と導出口チューブ内に設けられたチューブ押さえ機構と、該チューブ押さえ機構と協働して前記チューブ導入口あるいはチューブ導入口と導出口においてハウジング内に配置されるチューブを固定することが可能なハウジングのカバーに形成されたチューブ押圧部材（以下、上部押圧部材という）とを有することを特徴とするハウジング付きローラーポンプが挙げられる。
【０００６】
前記チューブ押さえ機構としては、例えばチューブ導入口、あるいはチューブ導入口とチューブ導出口に設けたチューブ押圧部材（以下、下部押圧部材という）と該下部押圧部材を支持する弾性部材とで構成されるものが挙げられる。
前記下部押圧部材を使用すること、特に該下部押圧部材に加えて該下部押圧部材をその下方から支持する弾性部材を使用することにより、簡単かつ安定にチューブをローラーポンプに装着でき、さらに異なる径のチューブを装着する場合であってもチューブ径の変更に左右されず装着することが可能となる。
【０００７】
すなわち、前記下部押圧部材の下部に前記弾性部材を設けない場合には、ある特定のチューブ径に適当な構造とした場合、該特定のチューブ径より径が大きいチューブを装着した場合には該装着するチューブを押さえすぎるということが生じ、また、前記特定のチューブ径より径が小さいチューブを装着した場合には該装着するチューブをまったく押さえていないということになるが、弾性部材が押圧部材の下に入っていれば多少の力の違いはあったとしてもチューブの径変化は吸収して、使用するチューブの径の変化が有ったとしても目的とする押圧力でチューブを押圧し、ローラーポンプに固定することが可能となる。
【０００８】
前記弾性部材としては、例えばコイルスプリングのようなものが挙げられるが、該弾性部材は前記コイルスプリングに限定されるものではなく、前記要求を達成することができる機能を奏するものであれば前記弾性部材として使用可能である。該弾性部材は前述のチューブ径の変更に対応可能なようなゴム・ウレタン等の軟質弾性材料で形成され、その一端がチューブ導入口あるいはチューブ導入口とチューブ導出口の底面部に接触し、他端がチューブ押さえ部材の裏面に接触して該チューブ押さえ部材を支持することができる。
【０００９】
本発明のハウジング付きローラーポンプにおいては、前記チューブ固定機構は、チューブ導入口でチューブを止めれば引っ張られる方向なのでチューブが弛むことは無く、前記チューブ固定機構は通常、チューブ導入口だけに設ければ本発明の目的は十分に達成される。しかし、ハウジング付きローラーポンプの種類によっては逆回転を行う場合もあり、そのようなハウジング付きローラーポンプでは前記チューブ固定機構はチューブ導入出口の両方に設けることが好ましい。
【００１０】
本発明のローラーポンプ別の態様としては、ハウジングと、該ハウジング内に配置されるチューブをローラー回転子の回転によりしごいて該チューブ内の液体を送液可能なローラーポンプと、ハウジングの前面壁部に該壁部の切り欠き部として形成されたハウジング内に配設されるチューブのチューブ導入口およびチューブ導出口と、ハウジングのカバーを閉じることによって前記チューブ導入口あるいは前記チューブ導入口とチューブ導出口内にその側方から移動して前記チューブをハウジングに固定可能なチューブ押圧部材（以下、側方移動チューブ押圧部材という）と該側方移動チューブ押圧部材の前記移動を行う移動手段（以下、チューブ押圧部材の移動手段という）とで少なくとも構成されることを特徴とするハウジング付きローラーポンプが挙げられる。
【００１１】
本発明のハウジング付きローラーポンプは、チューブを固定した状態において、該固定状態を維持可能とするハウジングのカバーとハウジング本体の連結手段を有することが、チューブの固定状態を安定に保持できるのでより好ましい。
【００１２】
以下に本発明のハウジング付きローラーポンプの実施態様を図に基づいて説明する。
実施態様１
図１において、ハウジング付きローラーポンプは、カバー１とハウジング本体５で形成され、その前面壁部に該壁部の切り欠き部として形成されたチューブ導入口３およびチューブ導出口４を有する。前記チューブ導入口３とチューブ導出口４には、チューブ押さえ機構として、図２に示すように下部押圧部材１０と弾性部材８（コイルスプリング）および下部押圧部材１１と弾性部材８（コイルスプリング）が設けられる。
前記チューブ押さえ機構と上部押圧部材２はチューブ固定機構を構成し、ハウジングのカバーを閉じた際に前記ローラー型ポンプのローラー回転子に取り付けたチューブをチューブ導入口３とチューブ導出口４において挟み込んで固定することができる。また、前記チューブ固定機構によるチューブを固定した状態において該チューブの固定状態を安定に保持するために、チューブを固定した状態においてハウジングのカバー１とハウジング本体５にはそれらを相互に連結し、該固定状態を維持可能とする連結手段である係止部材１８と該係止部材１８が係止される被係止部材１９が形成されている。
なお、前記チューブ固定機構はチューブ導入口３のみに形成してもよい。
また、前記上部押圧部材２はカバー１と一体に構成されてもよいし、別体として構成されてもよいし、前記上部押圧部材２のチューブ側の面は、図２に示すように平面形状であってもよいし、チューブ形状に適合するように凹部を形成したものであっても良い。
【００１３】
前記ローラー回転子に取り付けたチューブ７は、前記のようにローラー回転子を回転させて送液を行う場合に、前記上部押圧部材２と下部押圧部材１０，１１によるチューブ７の挟み込みは、ある程度のチューブの径変化は許容されるがチューブ内の液体の送液を著しく阻害することなく、かつチューブ７が回転方向に巻き込まれない程度にチューブ７を挟み込む力がチューブ７に付与されることが要求される。
【００１４】
前記のような要求は、本実施態様の構成においてチューブ押さえ機構として、下部押圧部材１０，１１として合成樹脂製成形品などを使用し、かつ該下部押圧部材１０，１１を反力だけで支持する弾性部材８と組合せて構成されたものが、前記の要求をより容易に達成することができるので好ましい。
前記弾性部材８としては、例えば図２に示すコイルスプリング８が挙げられるが、前記要求を容易に達成することができるのであればコイルスプリング８に限定されるものではなく、弾性を有し、かつ前記の要求を満足できるものであればどのような物品であってもよい。
【００１５】
前記弾性部材８は図２に示すように、その一端がチューブ導入口３とチューブ導出口４の切り欠き部の底面部に接触し、他端が下部押圧部材１０、１１の裏面に接触し該チューブ受け部材を支持する。
前記上部押圧持部材２はカバーを開けると前記下部押圧部材１０、１１とのチューブ挟み込みを開放し、またカバーを閉めると前記下部押圧部材１０、１１と協働してチューブ導入口３あるいはチューブ導入口３とチューブ導出口４においてチューブをハウジングに固定され、かつ、この固定状態は係止部材１８と被係止部材１９が係止部されることにより、維持可能である。
【００１６】
実施態様２
前記実施態様１とは別の実施態様のハウジング付きローラーポンプを図３に基づいて説明する。
本実施態様のハウジング付きローラーポンプは、ハウジング本体５の前面壁部に該壁部の切り欠き部として形成されたチューブ導入口３およびチューブ導出口４と、以下のチューブ押圧機構とを有して構成されるものである。
前記チューブ押圧機構はハウジングのカバー１を閉じることによって前記チューブ導入口３とチューブ導出口４内にその側方から移動して来て前記チューブ導入口３とチューブ導出口４内に配置されてチューブ７をハウジング本体５に固定可能なチューブ押圧部材２０、２１と、該チューブ押圧部材２０、２１の前記移動を行うハウジングのカバーに形成されたチューブ押圧部材２０，２１の移動手段９とを有して構成されたものである。
【００１７】
本実施態様のハウジング付きローラーポンプにおいては、ハウジングのカバー１が開いているときには、図３に示すように前記チューブ押圧部材２０、２１はチューブ導入口３とチューブ導出口４の間の位置に配置されているが、ハウジングのカバー１を閉めることにより前記チューブ押圧部材の移動手段９が矢印Ｘ方向に移動して前記チューブ押圧部材２０、２１間に配置されることによりチューブ押圧部材２１は矢印Ｙ方向、チューブ押圧部材２０は矢印Ｚ方向に移動する。このチューブ押圧部材２０、２１は矢印Ｙ方向および矢印Ｚ方向に移動してチューブ導入口３とチューブ導出口４の側方から該チューブ導入口３とチューブ導出口４内に到達して前記チューブ導入口３とチューブ導出口４の壁部と協働してチューブを固定することができる。
チューブ押圧部材２０、２１間にはチューブ押圧部材の移動手段９が不存在になると該チューブ押圧部材２０，２１同士を中心方向に移動させる弾性部材、例えば引張りバネ１７が形成されている。
【００１８】
実施態様３
前記実施態様２とは基本的機構は同様であるが、チューブ固定操作をさらに改良したチューブ押圧機構を有するハウジング付きローラーポンプの実施態様を図４に基づいて説明する。
本実施態様のチューブ押圧機構は、実施態様２のチューブ導入口３とチューブ導出口４側にそれぞれ１個のチューブ押圧部材を配置する代りに、チューブ導入口３とチューブ導出口４側に２個のチューブ押圧部材１２と１３および１４と１５を配置して構成されている。前記チューブ押圧部材１２と１３および１４と１５の間は圧縮バネ１６でそれぞれ連結され、また、チューブ押圧部材１２と１４の間は、実施態様２と同様にチューブ押圧部材の移動手段９が不存在になると、チューブ押圧部材１２と１４同士を中心方向に移動させる弾性部材、例えば引張りバネ１７が形成されている。
さらにチューブ導入口３側のチューブ押圧部材１３とチューブ導出口４側のチューブ押圧部材１５は、これら押圧部材がチューブ導入口３あるいはチューブ導出口４内に配置された場合に、前記チューブ導入口３あるいはチューブ導出口４内の内壁面と協働してチューブ固定を行うに適した形状、例えばチューブ押圧部分がチューブ７と同様な弧形状を有して構成されるものが好ましい。
【００１９】
前記チューブ押圧機構によるチューブ７のチューブ導入口３とチューブ導出口４におけるハウジング本体５への固定動作は以下のようにしておこなわれる。
カバーを閉じることによりチューブ押圧部材の移動手段をチューブ押圧部材１２と１４間に挿入させると、圧縮バネ１６と連動してチューブ押圧部材１３と１５もチューブ７方向へ移動してチューブ７を前記チューブ導入口３あるいはチューブ導出口４内の内壁面と協働してチューブ７の固定を行う。また、ハウジング本体５内に配置されるチューブ７の規格変更（チューブ径の変動）に対しては前記圧縮バネ１６を使用することによってある程度の幅を持って対処することが可能である。さらにカバー１を開けることによりチューブ押圧部材の移動手段９をチューブ押圧部材１２と１４間から離脱させると、前記チューブ押圧部材１２と１４間にある引っ張りバネ１７が作用し、前記側方移動チューブ押圧部材１２と１４を中心方向に移動させるためにチューブ押圧部材１３と１５によるチューブ押圧力は開放されチューブ７の取出しを容易に行うことができる。なお、本実施態様においては、チューブ押圧部材は１２と１３および１４と１５の４個を採用したが、適宜その数は選択することができる。
【発明の効果】
【００２０】
本発明により、ローラーポンプのローラー回転子へのチューブの装着性が向上してチューブの装着時間を短縮化し、さらにはチューブ径の変更に左右されず、チューブを好ましい固定力でハウジングに固定することを容易に行うことができるハウジング付きローラーポンプ提供でき、これら特性からみて、本発明のローラーポンプは医療用として特に好適なもので、このローラーポンプを医療用システム、例えば血液浄化システムに採用することにより、好適な医療用システムを構築することができた。
【図面の簡単な説明】
【００２１】
【図１】チューブ装着前の本発明のハウジング付きローラーポンプを示す図である。
【図２】実施態様1のチューブ導入口とチューブ導出口におけるチューブの固定状態を説明した図である。
【図３】実施態様２のカバー閉じる前のハウジング付きローラーポンプの構成を説明した図である。
【図４】実施態様２のカバー閉じた状態のハウジング付きローラーポンプの構成とチューブ固定動作を説明した図である。
【図５】実施態様３のローラーポンプの構成とチューブ固定動作を説明した図である。
【符号の説明】
【００２２】
１      ハウジングのカバー
２      上部押圧部材
３      チューブの導入口
４      チューブの導出口
５      ハウジング本体
６      ローラーポンプのローラー回転子
７      チューブ
８      弾性部材（コイルスプリング）
９      チューブ押圧部材の移動手段
１０    下部押圧部材
１１    下部押圧部材
１２    チューブ押圧部材
１３    チューブ押圧部材
１４    チューブ押圧部材
１５    チューブ押圧部材
１６    圧縮バネ
１７    引っ張りバネ
１８    係止部材
１９    被係止部材
２０    チューブ押圧部材
２１    チューブ押圧部材
Ｘ  ハウジングのカバー１を閉めることによるチューブ押圧部材２０、２１の移動手段９の移動方向
Ｙ  チューブ押圧部材の移動手段９がＸ方向に移動することによるチューブ押圧部材２１の移動方向
Ｚ  チューブ押圧部材の移動手段９がＸ方向に移動することによるチューブ押圧部材２０の移動方向
Ａ  チューブ押圧部材の移動手段９がＸ方向に移動することによるチューブ押圧部材１２、１３の移動方向
Ｂ  チューブ押圧部材の移動手段９がＸ方向に移動することによるチューブ押圧部材１４、１５の移動方向
【図１】
2006212050.tif 000003
【図２】
2006212050.tif 000004
【図３】
2006212050.tif 000005
【図４】
2006212050.tif 000006
【図５】
2006212050.tif 000007